(57)【要約】【課題】スナップフィットによる取り付け構造を採用しつつシール性の悪化を抑制でき、且つ製造コストの増大を抑制できると共に、ケースやカバーが損傷してしまうことを防止できるドライバ装置、及びモータ装置を提供する。【解決手段】一面に開口部１１ａを有し、ドライバ回路基板が収納されるケース１１と、このケース１１の開口部１１ａを閉塞するカバー１２とを有し、ケース１１とカバー１２との間を接着剤Ｊを介して閉塞するドライバ装置８であって、ケース１１、及びカバー１２の何れか一方に弾性変形可能な舌片部１７を形成し、他方に舌片部１７に係合可能な爪部１５を形成し、これら舌片部１７と爪部１５とがスナップフィットにより係合するように構成し、爪部１５の係合面１５ａを傾斜形成することにより、この係合面１５ａと舌片部１７とを、ケース１１とカバー１２とが互いに引き寄せる方向に向かって弾性的に引張する弾性引張機構として機能させた。【選択図】図３
2014027773.tif 000002
【特許請求の範囲】
【請求項１】
一面に開口部を有し、基板が収納されるケースと、
このケースの開口部を閉塞するカバーとを有し、
前記ケースとカバーとの間をシール部材を介して閉塞するドライバ装置であって、
前記ケース、及び前記カバーの何れか一方に弾性変形可能な舌片部を形成し、他方に前記舌片部に係合可能な係合部を形成し、これら舌片部と係合部とがスナップフィットにより係合されるように構成し、
前記ケースと前記カバーとの間に、これらケースとカバーとを互いに引き寄せる方向に向かって弾性的に引張する弾性引張機構を設けたことを特徴とするドライバ装置。
【請求項２】
前記舌片部、及び前記係合部の何れか一方に、他方と係合可能な爪部を形成し、
前記爪部の係合面を、前記カバーの前記ケースからの離間方向に対して傾斜するように、且つ舌片部の抜け方向に向かって傾斜するように形成し、
この傾斜した係合面と前記舌片部とを、前記弾性引張機構として機能させていることを特徴とする請求項１に記載のドライバ装置。
【請求項３】
前記係合面の最外側の稜線部に、前記カバーの前記ケースからの離間方向に直交するストッパ面を形成したことを特徴とする請求項２に記載のドライバ装置。
【請求項４】
前記シール部材は、経時硬化する接着剤であることを特徴とする請求項１〜請求項３の何れか１項に記載のドライバ装置。
【請求項５】
請求項１〜請求項４の何れか１項に記載のドライバ装置と、電動モータとを備え、
前記基板は、前記電動モータを駆動するためのドライバ回路基板であることを特徴とするモータ装置。
【発明の詳細な説明】
【技術分野】
【０００１】
この発明は、ドライバ装置、及びモータ装置に関するものである。
【背景技術】
【０００２】
例えば、開口部を有するケースと、ケースの開口部を閉塞するカバーとを取り付ける構造としてスナップフィットによる取り付け構造が考えらえる。スナップフィットは、例えば、弾性変形可能な舌片部を有している。そして、ケース、又はカバーの何れか一方に舌片部を形成すると共に、この舌片部に他方と係合可能な爪部を形成する。
このような構成もと、例えば、カバーに舌片部を形成した場合、この舌片部を弾性変形させ、ケースに爪部を係合させることにより、ケースにカバーを取り付けることができる。また、舌片部を弾性変形させてケースと爪部との係合を解除し、ケースからカバーを取り外すこともできる（例えば、特許文献１参照）。
【先行技術文献】
【特許文献】
【０００３】
【特許文献１】特開２００９−１８０３２３号公報
【発明の概要】
【発明が解決しようとする課題】
【０００４】
ところで、ケースとカバーとの間にパッキンや接着剤等のシール部材を設け、ケースとカバーとの間のシール性を確保する場合がある。ここで、環境温度の変化が大きいと、ケースやカバーが膨張・収縮し、カバーとケースとの間の隙間の大きさが変化してしまい、シール性を安定させることが困難になるという課題がある。とりわけ、ケースとカバーとの間に経時硬化性の接着剤を塗布した場合、ケースやカバーが膨張・収縮することによって接着部に応力がかかり、シール性が悪化する虞がある。
【０００５】
また、カバーとケースとの間の隙間の大きさの変化を抑制するために、スナップフィットによる取り付け構造のがたつきを抑えることも考えられる。しかしながら、このがたつきを抑えるようとすると、部品の寸法管理が厳しくなり、製品コストが増大するという課題がある。さらに、がたつきを完全に無くしてしまうと、ケースやカバーの膨張・収縮による応力をケースやカバー自体で受けることになり、ケースやカバーが損傷する虞があるという課題がある。
【０００６】
そこで、この発明は、上述した事情に鑑みてなされたものであって、スナップフィットによる取り付け構造を採用しつつシール性の悪化を抑制でき、且つ製造コストの増大を抑制できると共に、ケースやカバーが損傷してしまうことを防止できるドライバ装置、及びモータ装置を提供するものである。
【課題を解決するための手段】
【０００７】
上記の課題を解決するために、本発明に係るドライバ装置は、一面に開口部を有し、基板が収納されるケースと、このケースの開口部を閉塞するカバーとを有し、前記ケースとカバーとの間をシール部材を介して閉塞するドライバ装置であって、前記ケース、及び前記カバーの何れか一方に弾性変形可能な舌片部を形成し、他方に前記舌片部に係合可能な係合部を形成し、これら舌片部と係合部とがスナップフィットにより係合されるように構成し、前記ケースと前記カバーとの間に、これらケースとカバーとを互いに引き寄せる方向に向かって弾性的に引張する弾性引張機構を設けたことを特徴とする。
【０００８】
このように構成することで、弾性引張機構によって、ケースとカバーとに、互いに引き寄せる方向に向かって弾性的な力が作用する。このため、環境温度の変化によってケースやカバーが膨張・収縮した場合であっても、カバーとケースとの間の隙間の大きさの変化を最小限にすることができる。よって、スナップフィットによる取り付け構造を採用しつつ、シール性の悪化を抑制できる。
また、スナップフィットによる取り付け構造のがたつきを抑えるべく、舌片部や係合部を高精度に加工する必要がなくなるので、製造コストの増大を抑制できる。
さらに、ケースやカバーが膨張・収縮した場合の応力を弾性引張機構によって受けることができるので、ケースやカバーが損傷してしまうことを防止できる。
【０００９】
本発明に係るドライバ装置は、前記舌片部、及び前記係合部の何れか一方に、他方と係合可能な爪部を形成し、前記爪部の係合面を、前記カバーの前記ケースからの離間方向に対して傾斜するように、且つ舌片部の抜け方向に向かって傾斜するように形成し、この傾斜した係合面と前記舌片部とを、前記弾性引張機構として機能させていることを特徴とする。
【００１０】
ここで、ケースに対してカバーが離間する方向に向かって変位すると、舌片部が係合部から抜ける方向に向かって弾性変形する。このとき、舌片部に復元力が作用し、この復元力によって、ケース側にカバーが引き寄せられる。このため、ケースとカバーとに互いに引き寄せる方向に向かって弾性的な力を作用させることができる。このように、爪部に傾斜した係合面を形成することにより、弾性引張機構を構成することができるので、製造コストの増大を抑制することができる。
また、係合面に爪部が当接するように形成すればよいだけなので、スナップフィットによる取り付け構造のがたつきを容易に抑えることが可能になる。
【００１１】
本発明に係るドライバ装置は、前記係合面の最外側の稜線部に、前記カバーの前記ケースからの離間方向に直交するストッパ面を形成したことを特徴とする。
【００１２】
このように構成することで、仮にケースに対してカバーが離間する方向に向かって変位し続け、舌片部が係合面から抜ける方向に向かって弾性変形し続けたとしても、ストッパ面で爪部を係止することができる。このため、係合部から舌片部が完全に抜けてしまうことを防止できる。
【００１３】
本発明に係るドライバ装置は、前記シール部材は、経時硬化する接着剤であることを特徴とする。
【００１４】
このように、接着剤を用いた場合であっても、カバーとケースとの間の隙間の大きさの変化を最小限にすることができるので、接着剤に過大な応力がかかることがなく、十分なシール性を確保することができる。
【００１５】
本発明に係るモータ装置は、ドライバ装置と、電動モータとを備え、前記基板は、前記電動モータを駆動するためのドライバ回路基板であることを特徴とする。
【００１６】
このように構成することで、スナップフィットによる取り付け構造を採用しつつシール性の悪化を抑制でき、且つ製造コストの増大を抑制できると共に、ケースやカバーが損傷してしまうことを防止できるモータ装置を提供することができる。
【発明の効果】
【００１７】
本発明によれば、弾性引張機構によって、ケースとカバーとに互いに引き寄せる方向に向かって弾性的な力が作用するので、環境温度の変化によってケースやカバーが膨張・収縮した場合であっても、カバーとケースとの間の隙間の大きさの変化を最小限にすることができる。このため、スナップフィットによる取り付け構造を採用しつつ、シール性の悪化を抑制できる。
【００１８】
また、スナップフィットによる取り付け構造のがたつきを抑えるべく、舌片部や係合部を高精度に加工する必要がなくなるので、製造コストの増大を抑制できる。
さらに、ケースやカバーが膨張・収縮した場合の応力を弾性引張機構によって受けることができるので、ケースやカバーが損傷してしまうことを防止できる。
【図面の簡単な説明】
【００１９】
【図１】本発明の実施形態における冷却ファン装置の平面図である。
【図２】本発明の実施形態における冷却ファン装置の側面図である。
【図３】図２のＡ−Ａに沿う断面図である。
【図４】本発明の実施形態における爪部の作用説明図であって、（ａ）〜（ｄ）は、各状況ごとの舌片部の挙動を示す。
【図５】本発明の実施形態の変形例における要部拡大断面図である。
【発明を実施するための形態】
【００２０】
（冷却ファン装置）
次に、この発明の実施形態を図面に基づいて説明する。
図１は、冷却ファン装置の平面図、図２は、冷却ファン装置の側面図である。
図１、図２に示すように、冷却ファン装置１は、例えば、自動車のラジエータ冷却用として用いられるものであって、ファン本体２と、このファン本体２を回転駆動させるモータユニット３とを備えている。
【００２１】
（ファン本体）
ファン本体２は所謂軸流ファンであって、モータユニット３に連結される有底円筒状のボス部４と、このボス部４の外周面と一体的に径方向外側に突出する複数のブレード５と、複数のブレード５の径方向外側に配置された環状のリング部６とを備えている。リング部６は、各ブレード５の径方向外側の端部よりも若干径方向内側を、環状に連結している。
各ブレード５は、付根部側では仰角が大きく、かつ、翼弦長が短く設定されており、延出端側に向かうにつれて仰角が次第に小さくなるとともに翼弦長が徐々に長くなるように設定されている。また、各ブレード５の先端は、軸方向平面視でボス部４と同軸状の円を描く円弧形状に形成されている。
【００２２】
（モータユニット）
モータユニット３は、ブラシレスモータ７と、このブラシレスモータ７の回転制御を行うドライバ装置８とが一体化されたものである。そして、ブラシレスモータ７の出力軸（不図示）が、ファン本体２のボス部４に連結されている。また、ブラシレスモータ７には、ファン本体２から突出した箇所にブラケット９が設けられている。このブラケット９は、冷却ファン装置１を不図示の車体に取り付けるためのものであって、３つのねじ孔１０が周方向に等間隔に刻設されている。このねじ孔１０に不図示のボルトを螺入することにより、不図示の車体に冷却ファン装置１が締結固定される。
【００２３】
（ドライバ装置）
ドライバ装置８は、ブラケット９を挟んでファン本体２とは反対側に配置されている。ドライバ装置８は、ファン本体２とは反対側の一面に開口部１１ａを有する箱状のケース１１と、ケース１１の開口部１１ａを閉塞するように設けられたカバー１２とを有している。そして、ケース１１とカバー１２とにより閉塞された内部に、ブラシレスモータ７の回転制御を行うためのドライバ回路基板１３が収納されている。
【００２４】
図３は、図２のＡ−Ａに沿う断面図である。
図１〜図３に示すように、ケース１１は、例えば、アルミダイキャスト等により形成されたものであって、ケース１１の開口部１１ａ周縁の端面１１ｂには、全周に渡ってシール溝１４が形成されている。このシール溝１４は、ケース１１とカバー１２との間のシール性を確保するためのものであって、経時硬化性の接着剤Ｊが充填されるようになっている。
【００２５】
また、ケース１１の外側面１１ｃには、爪部１５が周方向に等間隔で４箇所突設されている。爪部１５は、ケース１１とカバー１２とをスナップフィット固定するためのものであって、外側面１１ｃの外側からみて、平面視略矩形状に形成されている。
一方、カバー１２は、例えば、樹脂により略平板状に形成されたものであって、ケース１１の開口部１１ａの上方（図３における上方）からこの開口部１１ａを覆うようにケース１１に取付られるようになっている。カバー１２には、ケース１１のシール溝１４に対応する箇所に、このシール溝１４に臨まされる凸条部１６が立設されている。この凸条部１６がシール溝１４に充填されている接着剤Ｊに挿入されることにより、ケース１１とカバー１２との間の隙間が埋り、シール性が確保される。
【００２６】
また、カバー１２の外周縁には、ケース１１に形成されている爪部１５に対応する箇所に、ケース１１側に向かって延出する舌片部１７が形成されている。舌片部１７は、カバー１２の外周縁から爪部１５よりもファン本体２側（図３における下側）に至るまで延出形成されており、ケース１１の外側面１１ｃの外側に向かって弾性変形可能になっている。
また、舌片部１７の爪部１５に対応する箇所には、この爪部１５を受け入れ可能な開口部１７ａが形成されている。この開口部１７ａの内周縁と、爪部１５のファン本体２側の係合面１５ａとが係合することにより、カバー１２のケース１１に対する離間方向（図３における上方向、図３における矢印Ｙ１参照。以下、単に「カバー１２の離間方向」という）への移動が規制される。これにより、ケース１１とカバー１２とがスナップフィット固定される。
【００２７】
ここで、爪部１５の係合面１５ａは、カバー１２の離間方向に向かうに従って、徐々にケース１１の外側面１１ｃの外側に向かうように、傾斜形成されている。換言すれば、係合面１５ａは、舌片部１７の爪部１５からの抜け方向に向かって傾斜するように形成されている。
尚、以下の説明において、ケース１１の外側面１１ｃの外側に向かう方向を舌片部１７の抜け方向と表現して説明する場合がある。
【００２８】
ケース１１にカバー１２を取り付けた状態では、舌片部１７の開口部１７ａの内側面と、爪部１５の係合面１５ａ側の付根部１５ｂとの間には、微小隙間Ｓが形成されるようになっている。
また、係合面１５ａの最外側の稜線部には、カバー１２の離間方向に直交するストッパ面１５ｃが形成されている。このストッパ面１５ｃは、爪部１５からの舌片部１７の抜けを防止するための面である（詳細は後述する）。
【００２９】
さらに、爪部１５には、舌片部１７を受け入れる側（図３における上側）に受入面１５ｄが形成されている。受入面１５ｄは、舌片部１７の挿入方向（図３における下方向、図３における矢印Ｙ２参照。以下、単に「カバー１２の挿入方向」という）に向かうに従って、徐々に舌片部１７の抜け方向に向かうように、傾斜形成されている。また、受入面１５ｄの傾斜勾配は、係合面１５ａの傾斜勾配よりも緩やかに設定されており、舌片部１７が爪部１５をスムーズに乗り越えることができるようになっている。
【００３０】
このような構成のもと、ケース１１にカバー１２を取り付ける場合、まず、ケース１１内にドライバ回路基板１３等を収納した後、ケース１１のシール溝１４に接着剤Ｊを充填する。この後、ケース１１の開口部１１ａ側からこの開口部１１ａを覆うようにカバー１２を取り付ける。
【００３１】
このとき、ケース１１側にカバー１２を押し込もうとすると、舌片部１７は、この先端がケース１１の爪部１５に当接し、さらに受入面１５ｄに沿って舌片部１７が押し広げられるように弾性変形する。そして、舌片部１７の先端が爪部１５を完全に乗り上げ、爪部１５に舌片部１７の開口部１７ａが到達すると、舌片部１７の復元力により開口部１７ａ内に爪部１５が入り込む。これにより、ケース１１とカバー１２とがスナップフィット固定される。
【００３２】
ケース１１とカバー１２とがスナップフィット固定された状態では、カバー１２のケース１１からの抜け方向への移動が規制される。このような状態を維持しながら接着剤Ｊが硬化されることにより、ケース１１とカバー１２との固着力が増すと共に、ケース１１とカバー１２との間のシール性が十分確保される。
ここで、接着剤Ｊが硬化した後、環境温度が変化することにより、ケース１１やカバー１２が膨張・収縮する場合がある。このような場合の舌片部１７の挙動について、以下に詳述する。
【００３３】
（爪部の作用）
図４は、爪部の作用説明図であって、（ａ）〜（ｄ）は、各状況ごとの舌片部の挙動を示す。
まず、図４（ａ）に示すように、ケース１１にカバー１２を取り付けた状態で、常温下にある場合、舌片部１７の開口部１７ａの内側面と、爪部１５の係合面１５ａ側の付根部１５ｂとの間には、微小隙間Ｓが形成されている状態になっている。
【００３４】
このような状態から環境温度が上昇すると、ケース１１やカバー１２が膨張し、図４（ｂ）に示すように、カバー１２が離間する方向（図４（ｂ）における矢印Ｙ１参照）に向かって移動する。そして、カバー１２が微小隙間Ｓ分移動すると、爪部１５の係合面１５ａに舌片部１７の開口部１７ａの内周縁が当接する。
【００３５】
さらに、図４（ｃ）に示すように、カバー１２が離間方向に向かって移動すると、係合面１５ａが傾斜しているので、カバー１２の離間方向に向かう力に対して外側に向かう分力が発生する。このため、係合面１５ａに沿って舌片部１７が押し広げられる。このとき、舌片部１７に復元力が作用する（図４（ｃ）における矢印Ｙ３参照）。この復元力によって、カバー１２にケース１１側に押し戻す力が作用する（図４（ｃ）における矢印Ｙ２参照）。このため、カバー１２の離間方向への移動が抑制される。
【００３６】
仮に、カバー１２に外力が加わり、舌片部１７の復元力に抗してカバー１２が離間方向に向かって移動した場合、図４（ｄ）に示すように、舌片部１７は、さらに外側に押し広げられる。そして、爪部１５のストッパ面１５ｃに、舌片部１７の開口部１７ａの内側面が当接する。
ここで、爪部１５のストッパ面１５ｃは、カバー１２の離間方向に直交するように形成されているので、カバー１２の抜け方向に対する力には、外側に向かう分力が発生しない。このため、爪部１５に舌片部１７が引っ掛かった状態になり、爪部１５からの舌片部１７の抜けが防止される。
【００３７】
（効果）
したがって、上述の実施形態によれば、ケース１１とカバー１２とをスナップフィット固定するための爪部１５の係合面１５ａを、カバー１２の離間方向に向かうに従って、徐々にケース１１の外側面１１ｃの外側に向かうように傾斜形成させたので、カバー１２が離間方向に向かって移動しようとすると、カバー１２にケース１１側に押し戻す力が作用し、カバー１２の離間方向への移動を規制することができる。このため、カバー１２の移動に伴う応力が接着剤Ｊにかかることが抑制され、接着剤Ｊの接着能力が低下してしまうことを防止できる。よって、スナップフィットによる取り付け構造を採用しつつ、シール性の悪化を抑制できる。
【００３８】
また、爪部１５の係合面１５ａが傾斜形成されているので、仮に爪部１５や舌片部１７の製造誤差により、舌片部１７の開口部１７ａの内側面と、爪部１５の係合面１５ａ側の付根部１５ｂとの間に微小隙間Ｓが形成されなくても、舌片部１７が爪部１５に対して抜け方向に変形するだけなので、爪部１５や舌片部１７の製造精度を高精度に管理することなく、爪部１５と舌片部１７とのがたつきを抑えることができる。
また、舌片部１７が弾性変形するので、この舌片部１７がケース１１やカバー１２にかかる応力を受ける形になり、ケース１１やカバー１２に過大な応力がかかるのを防止できる。さらに、ケースやカバーが膨張・収縮した場合の応力も舌片部１７で受けることができるので、環境温度の変化に伴うケース１１やカバー１２の損傷を確実に防止することができる。
【００３９】
さらに、係合面１５ａの最外側の稜線部には、カバー１２の離間方向に直交するストッパ面１５ｃが形成されているので、仮にケース１１に対してカバー１２が離間する方向に向かって変位し続け、舌片部１７が爪部１５から抜ける方向に向かって弾性変形し続けたとしても、ストッパ面１５ｃで爪部１５を係止することができる。このため、爪部１５からの舌片部１７の抜けを確実に防止することができる。
【００４０】
尚、本発明は上述の実施形態に限られるものではなく、本発明の趣旨を逸脱しない範囲において、上述の実施形態に種々の変更を加えたものを含む。
例えば、上述の実施形態では、ケース１１の外側面１１ｃに爪部１５を形成する一方、カバー１２に、爪部１５にスナップフィット固定可能な舌片部１７を形成し、この舌片部１７に爪部１５と係合可能な開口部１７ａを形成した場合について説明した。しかしながら、これに限られるものではなく、例えば、以下の図５に示すように構成してもよい。
【００４１】
（変形例）
図５は、変形例における要部拡大断面図であって、前述の図３に対応している。尚、以下の説明において、前述の実施形態と同一態様については同一符号を付して説明を省略する。
同図に示すように、舌片部１７の先端に爪部２５を形成する一方、ケース１１の外側面１１ｃに、爪部２５を受け入れ可能、且つ係合可能な凹部１８を形成してもよい。この変形例における爪部２５の形状は、前述の実施形態の爪部１５の形状と逆になる。
【００４２】
すなわち、爪部２５には、カバー１２側（図５における上側）に凹部１８と係合可能な係合面２５ａが形成されている。係合面２５ａは、カバー１２の挿入方向に向かうに従って、徐々にケース１１の外側面１１ｃ側に向かうように、傾斜形成されている。換言すれば、係合面２５ａは、舌片部１７の凹部１８からの抜け方向に向かって傾斜するように形成されている。
【００４３】
ケース１１にカバー１２を取り付けた状態では、ケース１１の凹部１８と、爪部２５の係合面２５ａ側の付根部２５ｂとの間には、微小隙間Ｓが形成されるようになっている。
また、係合面２５ａの最外側の稜線部には、カバー１２の離間方向に直交するストッパ面２５ｃが形成されている。
【００４４】
さらに、爪部２５には、先端側（図５における下側）に受入面２５ｄが形成されている。受入面２５ｄは、カバー１２の離間方向に向かうに従って、徐々にケース１１の外側面１１ｃ側に向かうように、傾斜形成されている。また、受入面２５ｄの傾斜勾配は、係合面２５ａの傾斜勾配よりも緩やかに設定されている。これにより、ケース１１にカバー１２を挿入する際、舌片部１７の爪部２５がケース１１の外側面１１ｃをスムーズに乗り上げることができる。
したがって、上述の変形例によれば、前述の実施形態と同様の効果を奏することができる。
【００４５】
尚、上述の実施形態では、ケース１１の外側面１１ｃに爪部１５を形成し、この爪部１５と舌片部１７により、ケース１１とカバー１２とを互いに引き寄せる方向に向かって弾性的に引張する弾性引張機構を構成した場合について説明した。一方、上述の変形例では舌片部１７に爪部２５を形成すると共に、ケース１１に爪部２５と係合可能な凹部１８を形成することにより、ケース１１とカバー１２とを互いに引き寄せる方向に向かって弾性的に引張する弾性引張機構を構成した場合について説明した。しかしながら、これに限られるものではなく、ケース１１とカバー１２との間に、これらケース１１とカバー１２とを互いに引き寄せる方向に向かって弾性的に引張する弾性引張機構を設ければよい。例えば、板ばねやコイルスプリングを用いて弾性引張機構を構成することも可能である。
【００４６】
また、上述の実施形態では、ケース１１とカバー１２との間のシール性を確保するために、ケース１１の端面１１ｂにシール溝１４を形成し、このシール溝１４に接着剤Ｊを塗布した場合について説明した。しかしながら、これに限られるものではなく、ケース１１とカバー１２との間に、これらの間のシール性を確保できるものが設けられていればよい。例えば、接着剤Ｊに代わってパッキン等を使用することも可能である。パッキンを使用する場合、シール溝１４に代わってパッキン溝を形成すればよい。
【００４７】
さらに、上述の実施形態では、冷却ファン装置１に用いられるモータユニット３のドライバ装置８に、本発明の爪部１５，２５を適用した場合について説明した。しかしながら、これに限られるものではなく、さまざまなモータユニットのドライバ装置に、本発明を適用することが可能である。
【符号の説明】
【００４８】
１  冷却ファン装置
３  モータユニット
７  ブラシレスモータ（電動モータ）
８  ドライバ装置
１１  ケース
１１ａ  開口部
１２  カバー
１３  ドライバ回路基板
１５  爪部（係合部）
１５ａ  係合面
１５ｂ  付根部
１５ｃ  ストッパ面
１５ｄ  受入面
１７  舌片部
１７ａ  開口部
１８凹部（係合部）
Ｊ  接着剤（シール部材）
【図１】
2014027773.tif 000003
【図２】
2014027773.tif 000004
【図３】
2014027773.tif 000005
【図４】
2014027773.tif 000006
【図５】
2014027773.tif 000007